(57)【特許請求の範囲】
【請求項１】
上水道配水管への接続口に接続される、複数のポンプの各吸込口に連結されると共に互いに吸込側連通管を介して連通させた複数の吸込側三方向弁の列からなる吸込側三方向弁列と、
需要先への配管接続口に接続される、前記複数のポンプの各吐出口に連結されると共に互いに吐出側連通管を介して連通させた複数の吐出側三方向弁の列からなる吐出側三方向弁列と、
前記各ポンプ毎に前記吸込側三方向弁及び前記吐出側三方向弁を連結し、ハンドル操作により同時に弁の切替えを行う回転軸と、
前記吸込側連結管と前記吐出側連結管の間を連結する、吸込側から吐出側へのみ流通させる逆止弁を設けた架橋管とを有し、
前記吸込側三方向弁列、前記吐出側三方向弁列、前記回転軸及び前記架橋管を同一平面上に並列配置して１ユニット化し、前記複数のポンプを並列配置するのに合わせてユニット配列した給水装置の配管装置。
【請求項２】
前記吐出側三方向弁列の一端に連通配置される圧力タンクを有する請求項１に記載の給水装置の配管装置。
【請求項３】
前記上水道配水管への接続口と前記吸込側三方向弁列の間、或いは前記需要先への配管接続口と前記吐出側三方向弁列との間に逆流防止器を配置した請求項１または２に記載の給水装置の配管装置。
【請求項４】
前記各ポンプの吸込側と吐出側の各三方向弁をボール弁により形成し、前記２個のボール弁を前記回転軸により連結した請求項１から３のいずれか一項に記載の給水装置の配管装置。
【発明の詳細な説明】
【０００１】
【発明の属する技術分野】
この発明は、複数のポンプを並列に設けた直結給水ブースタポンプ等給水装置の配管装置に関する。
【０００２】
【従来の技術】
従来、商業建造物、集合住宅等上水を大量に消費する需要先において、上水は一旦屋上の受水槽に溜め、そこから需要先に配水していたが、近年は受水槽を無くし上水道配水管から直接、または小形ポンプで昇圧して需要先に送っている。この場合、供給先の水が配水管に逆流することを確実に防止するために、ポンプの吸込側または吐出側に、第1及び第2逆止弁、逃がし弁の組合せからなる逆流防止器を設けることが義務付けられている。このように受水槽を無くし配水管からの水をポンプで昇圧することにより、直接需要先に上水を送るようにしたものは、新鮮な水を需要先に送れると共に、配水管内の圧力を有効に利用できるのでポンプの動力を節約でき、また、夜間使用水量の少ない時には、ポンプを停止させ、配水管の水圧を利用して、配水管の水を直接需要先に送るようにしており、省エネルギーに貢献している。
【０００３】
【発明が解決しようとする課題】
このような直結給水ブースターポンプ等給水装置では、配水管の水圧に与える影響を少なくすると共に、ポンプ吸込側の圧力変動に対しても,推定末端圧力一定制御によって流量の変化に応じて吐出圧力を決定し、省エネルギー効果の高い運転が連続して行えるようにする必要がある。このため給水装置はポンプの故障等による給水停止を招かないように、複数のポンプを並列に配置し、それらポンプの運転、切替え叉は停止に具えて一連の制御弁を配置することが必要である。すなはち１つには、コンパクト化を求められる給水装置の中で、制御弁、逆止弁等の専有するスペースを小さくすると共に操作性を向上する、２つには吸込側配管（配水管）及び吐出配管（需要先への配管）の接続方向を据付現場の状況に応じて容易に対応出来るようにすることが求められる。
【０００４】
【課題を解決するための手段】
この発明は、直結給水ブースターポンプ等給水装置の配管装置において、上水道配水管への接続口に接続される、複数のポンプの各吸込口に連結されると共に互いに吸込側連通管を介して連通させた複数の吸込側三方向弁の列からなる吸込側三方向弁列と、需要先への配管接続口に接続される、前記複数のポンプの各吐出口に連結されると共に互いに吐出側連通管を介して連通させた複数の吐出側三方向弁の列からなる吐出側三方向弁列と、前記各ポンプ毎に前記吸込側三方向弁及び前記吐出側三方向弁を連結し、ハンドル操作により同時に弁の切替えを行う回転軸と、前記吸込側連結管と前記吐出側連結管の間を連結する、吸込側から吐出側へのみ流通させる逆止弁を設けた架橋管とを有し、前記吸込側三方向弁列、前記吐出側三方向弁列、前記回転軸及び前記架橋管を同一平面上に並列配置して１ユニット化し、前記複数のポンプを並列配置するのに合わせてユニット配列したことを特徴としている。そして、例えば、逆流防止器を経て前記ユニットの吸込側三方向弁列の一端に上水道配水管が接続されると共に、吐出側三方向弁列の他端が需要先の配管接続口に連通している。この場合、圧力タンクは吐出側三方向弁列の一端に連通配置される。
【０００５】
逆流防止器は、上水道配水管の給水圧力が逆流防止器の抵抗に比べて高い場合には、ポンプの吸込口側配管の途中に設けて何ら問題は無いが、給水圧力が低い場合には、逆止弁以降に水が流れないことも起こり得る。そのため、このような場合には、前記ユニットの吸込側三方向弁列の一端を直接上水道配水管に接続し、吐出側三方向弁列の他端と需要先の配管接続口との間に逆流防止器を配置することになる。この場合、圧力タンクは吐出側三方向弁列の一端、或いは吐出側三方向弁列の一端と需要先配管接続口との間に配置される。
【０００６】
以上述べたように、直結給水ブースターポンプ等給水装置の配管装置において、複数の三方向弁と逆止弁をユニット化したので、制御弁、逆止弁の専有するスペースを小さくして、給水装置をコンパクトにできると共に操作性の向上が図れ、また、吸込側配管（配水管）及び吐出配管（需要先への配管）の接続方向を据付現場の状況に応じて容易に対応できる。
【０００７】
【発明の実施の態様】
この発明の1実施例として、2個のポンプを並列に配置する場合のユニット配列を図１に示す。ポンプ1及びポンプ２の各吸込口に連結される三方向弁３及び４（吸込側三方向弁）の列と、ポンプ１及び２の吐出口に連結される三方向弁５及び６（吐出側三方向弁）の列とを同一平面上に平行して配列し、同一ポンプの吸込口側及び吐出口側の三方向弁３及び５、４及び６は同一ハンドル７，８の操作によって同時に弁の切替えを行うように同一の回転軸９，１０によって夫々同時に回転し、弁の切替えを行うことが出来る。
【０００８】
吸込側三方向弁３，４の列及び吐出側三方向弁５，６の列は夫々連通管１１，１２によって連通させるとともに、吸込側三方向弁の列の連通管１１と吐出側三方向弁の列の連通管１２との間を、吸込側から吐出側のみ流通する逆止弁１３を設けた架橋管１４によって連結する。このようにして形成されたポンプ１及び２の配管ユニット１５の吸込口側三方向弁３の一端が、逆流防止器１６を経て上水道配水管の接続口１７に接続されると共に、吐出側三方向弁６の他端が需要先の配管接続口１８に連通される。また、吐出側三方向弁５の一端に圧力タンク１９を連通配置させることが出来る。
【０００９】
図１は通常の三方向弁の設定及び管路を示している。この図で水の流れる経路は、上水道配水管の給水圧力が、需要先で必要且つ十分な給水が出来るように定めた設定値より低い場合、ポンプ１叉は２を運転させて前記設定値まで昇圧させる。ポンプ１を運転する場合、上水道配水管接続口１７からの水は、三方向弁３、ポンプ１、三方向弁５、連通管１２、三方向弁６、需要先への配管接続口１８へと流れるようにハンドル７及び８が設定される。またポンプ２を運転する場合、上水道配水管接続口１７からの水は、三方向弁３、連通管１１、三方向弁４、ポンプ２、三方向弁６、需要先への配管接続口１８へと流れる。ポンプ１及び２は、夫々の運転時間が平均化するように交互に運転され、同時に運転することは無い。また、各ポンプの吐出口には夫々逆止弁が設けられる。
【００１０】
いま上水道配水管の給水圧力が前記設定値よりも高い場合、ポンプを運転する必要は無く、配水管の給水圧力を利用して、接続口１７からの水を三方向弁３、連通管（吸込側連通管）１１、架橋管１４、逆止弁１３、連通管（吐出側連通管）１２、三方向弁６を経て、需要先への配管接続口１８へと送ることが出来る。この場合、この経路で給水圧力の減少が最小限に保たれるように、吸込側三方向弁の列（吸込側三方向弁列）及び吐出側三方向弁の列（吐出側三方向弁列）のユニットが設計される。
【００１１】
仮に、ポンプ１叉は２が故障し、修理のために給水装置からポンプを取外さなければならない場合、故障したポンプの吸込口及び吐出口に連結する三方向弁のハンドルを操作して、前記ポンプとの連結を遮断し、故障しない側のポンプを作動させて給水を続行する。図２はポンプ１が故障した場合のハンドル７を操作した状態、図３はポンプ２が故障した場合のハンドル８を操作した状態を示す。上水道配水管の給水圧力が設定値より高い場合は、故障しない側のポンプを運転する必要が無いことは言うまでも無い。
【００１２】
また、給水圧力が低い場合には、逆流防止器１６でさらに一定量の圧力損失があるので、逆止弁１６以降に水が流れないことも起こり得る。そのため、図６に示すように、吸込側三方向弁３の一端を直接上水道配水管への接続口１７に接続し、吐出側三方向弁６の他端と需要先への配管接続口１８との間に逆流防止器１６を配置する。この場合、圧力タンク１９は吐出側三方向弁５の一端、或いは吐出側三方向弁６の他端と需要先配管接続口１８との間に配置される。
【００１３】
図１乃至３及び図６に示した実施例は何れも上水道配水管への接続口１７が、ポンプユニットの左側にある場合を示したが、前記接続口１７がポンプユニットの右側になるような配置もまた可能である。図５に前記接続口１７がポンプユニットの右側であり、且つ逆流防止器１６が吸込側すなはち上水道配水管への接続口１７側にある場合、図４に、同じく前記接続口１７がポンプユニットの右側にあるが、逆流防止器１６が吐出側すなはち需要先への配管接続口１８側にある場合の管路図を示す。
【００１４】
吸込側及び吐出側の三方向弁の一実施例として、図７に示すようなダブルボール弁２０が用いられる。各ボール弁２０は所定方向に開口した流路２１を具え、回転軸により、吸込側及び吐出側の弁がハンドルによって同時に回転させられる。この吸込側及び吐出側の三方向弁は上記ボール弁に限られず、円筒軸、スピンドル形等種々の変更例が可能である。またこれら弁の作動も、手動に限らず、モータ等により自動制御することも可能である。図８に、この発明の配管装置を給水装置内へ組み込んだ一実施例を示す。また、これら実施例に示すように、ポンプ及び三方向弁の列は二列であるが、需要先及び使用条件如何によっては、ポンプ及び三方向弁の列を三列以上組合せることも可能である。
【００１５】
【発明の効果】
この発明は以上のように、吸込側三方向弁３，４の列と、吐出側三方向弁５，６の列と、回転軸９，１０と、架橋管１４を同一平面上に並列配置して１ユニット化し、複数のポンプを並列配置するのに合わせてユニット配列した構成としたので、コンパクトであると共に、ポンプを切替える際の操作性も良く、また、上水道配水管及び需要先への配管の接続口の位置、配水管の給水圧力、需要先への給水圧力等の諸条件を考慮して、上水道配水管との接続口、需要先への配管の接続口、逆流防止器及び圧力タンクの接続部の位置を容易に変更できるので、施工性の良い給水装置を提供することができる。
【図面の簡単な説明】
【図１】  通常の三方向弁の設定及び管路の一実施例を示す管路図である。
【図２】ポンプ１が故障した場合のハンドルを操作した状態を示す管路図である。
【図３】ポンプ２が故障した場合のハンドルを操作した状態を示す管路図である。
【図４】吸込側三方向弁の一端を直接上水道配水管への接続口に接続し、吐出側三方向弁の他端と需要先への配管接続口との間に逆流防止器を配置した管路図を示す。
【図５】上水道配水管への接続口がポンプユニットの左側にあり、且つ逆流防止器が上水道配水管への接続口側にある場合の管路図である。
【図６】上水道配水管への接続口がポンプユニットの右側にあり、且つ逆流防止器が需要先への配管接続口側にある場合の管路図を示す。
【図７】三方向弁の一実施例として、ダブルボール弁の見取り図を示す。
【図８】この発明の配管装置を給水装置内へ組み込んだ一実施例を示す。
【符号の説明】
１    ポンプ１
２    ポンプ２
３    ポンプ１の吸込口側の三方向弁
４    ポンプ２の吸込口側の三方向弁
５    ポンプ１の吐出口側の三方向弁
６    ポンプ２の吐出口側の三方向弁
７    ハンドル１
８    ハンドル２
９    回転軸１
１０  回転軸２
１１、１２  連結管
１３  逆止弁
１４  架橋管
１５  配管ユニット
１６  逆流防止器
１７  上水道配水管への接続口
１８  需要先への配管接続口
１９  圧力タンク
２０  ダブルボール弁
２１  流路
【図１】
0004434392.tif 000002
【図２】
0004434392.tif 000003
【図３】
0004434392.tif 000004
【図４】
0004434392.tif 000005
【図５】
0004434392.tif 000006
【図６】
0004434392.tif 000007
【図７】
0004434392.tif 000008
【図８】
0004434392.tif 000009